(57)【要約】【課題】  相手に「指紋が採取される」という予備的な認識が無く実質上無意識な儘であっても即座かつ確実に指紋が採取出来る上、指紋採取後も相手の指先を汚さず、相手に心理的、精神的な負荷を与えずに済む指紋採取技術を提供する。【解決手段】  指紋を採取したい相手の指紋を採取する用具であって、指紋を採取したい対象人物が触れることが予想される所定の物品上に設置可能なサイズに形成され、該物品上に予め設置された基材シート１と、基材シート１の指紋採取面２上に備えられ、指紋隆線の汗腺開口からの分泌物１０との接触により反応して指紋採取面２に指紋隆線に沿う紋様を形成してする物質を含む反応層３とからなり、上記対象人物の指先１３が指紋採取面２に接触することにより、対象人物の指紋像４を、その相手が実質上無意識のうちに採取出来る指紋採取用具、及びこれを用いた指紋の採取方法とする。【選択図】  図２
2005312666.tif 000002
【特許請求の範囲】
【請求項１】
指紋を採取したい相手の指紋を採取する用具であって、
指紋を採取したい対象人物が触れることが予想される所定の物品上に設置可能なサイズに形成され、前記所定の物品上に予め設置された基材シートと、
前記基材シートの指紋採取面上に備えられ、指紋隆線の汗腺開口からの分泌物との接触により反応して前記指紋採取面に前記指紋隆線に沿う紋様を形成する物質を含む反応層とからなり、
前記対象人物の指先が前記指紋採取面に接触することにより、前記対象人物の指紋を、その相手が実質上無意識のうちに採取出来ることを特徴とする指紋の採取用具。
【請求項２】
指紋を採取したい相手の指紋を採取するための用具であって、
指紋を採取したい対象人物が触れることが予想される所定の物品上に設置可能なサイズに形成され、前記所定の物品上に予め設置された基材シートと、
前記基材シートの指紋採取面上に備えられ、前記対象人物の指先が触れた際、その指紋面の隆線部と凹溝部の組合せからなる凹凸状の起伏に対応した凹凸を前記指紋採取面に形成する様構成された指紋固定層とからなり、
前記対象人物の指先が前記指紋採取面に接触することにより、前記対象人物の指紋を、その相手が実質上無意識のうちに採取出来ることを特徴とする指紋の採取用具。
【請求項３】
指紋を採取したい相手の指紋を採取するための方法であって、
指紋を採取したい対象人物が触れることが予想される所定の物品上に設置可能なサイズに形成された所定の指紋採取用具を前記所定の物品上に予め設置しておき、前記対象人物の指先を前記所定の指紋採取用具の指紋採取面に接触させることにより、前記指紋採取面に指紋隆線に沿う紋様を形成することを特徴とする指紋を採取するための方法。
【請求項４】
指紋を採取したい相手の指紋を採取するための方法であって、
自分の手の一部に所定の指紋採取用具を備えておき、指紋を採取したい対象人物と握手その他のボディコンタクトを図ることによって、前記対象人物の指先を前記所定の指紋採取用具の指紋採取面に接触させることにより、前記指紋採取面に指紋隆線に沿う紋様を形成することを特徴とする指紋を採取するための方法。
【請求項５】
前記指紋の採取を、前記対象人物の指先が触れた際、指紋の採取面に、指紋隆線の汗腺開口からの分泌物と反応して所定の変化が生じることにより指紋像が得られる様構成された反応層を備えた指紋採取用具を用いて行なうことを特徴とする請求項３又は４に記載の方法。
【請求項６】
前記指紋の採取を、前記対象人物の指先が触れた際、指紋の採取面に、前記指紋の凹凸形状の起伏に対応した凹凸が形成されることにより指紋像が得られる様構成された指紋固定層を備えた指紋採取用具を用いて行なうことを特徴とする請求項３又は４に記載の方法。
【発明の詳細な説明】
【技術分野】
【０００１】
本発明は、指紋の採取用具及び及びこれを用いた指紋の採取方法に関する。
【背景技術】
【０００２】
指紋は、指先に見られる皮膚隆線のなす紋様であって、胎生３，４か月で形成されるものである。その紋様には二つとして全く同じものが無く、更に一生不変である。それ故従来から、個人の識別を目的とする指紋の採取保管が広く行なわれている。
【０００３】
その様な指紋の採取用具及びこれを用いた指紋の採取方法としては現在までに種々のものが提案されているところ、その一例としては、ｉ）朱肉や黒色顔料インクを指紋面に付着させ、これを所定の紙やシート状物に押捺する方法が挙げられる。また、所定の顕色剤との接触により有色となる無色透明の色剤を内包するマイクロカプセルを、前記顕色剤が配された指紋採取面と指紋面との間に挟み、このマイクロカプセルを破壊することにより色剤と顕色剤とを反応させて発色させることによって指紋を採取する手法なども存在する（特許文献１及び２参照）。
さらに、ｉｉ）警察の鑑識等では、種々の物品等に付着した指紋を採取する為に、従来より次の様な手法が多用されている。すなわち、手指が接触した物品等の該当箇所には指紋隆線の汗腺開口からの分泌物、例えば脂肪分やタンパク質等が付着するので、アルミナ粉末等を刷毛等で少量散布した後これを毛先で軽く払いのけることによって指紋隆線の部分だけに粉を付着させて指紋を浮き上げ、この浮き上げ指紋をゼラチン紙に転写することによって指紋を採取している。
その他、ｉｉｉ）最近では光学的に指紋像を検出し、認識させる手法も提案されている。
【０００４】
しかしながら、ｉ）朱肉や黒色顔料インクを指紋面に付着させることによって指紋を採取する手法は、指紋面（特に溝部）に付着したインク等を拭い取り難く、押捺者に不快感を与える上、指紋面へのインク等の付け方や押捺の仕方によっては、採取紋様に欠落が生じる等の不都合があった。特許文献１や２の一部に記載された様な手法であっても同様に、指紋が採取された後はマイクロカプセル等で相手の指先を少なからず汚してしまうことになるため、相手に視覚的、触覚的な不快感を与える上、相手に「指紋が採取された」ことがより強調されてしまい、相手に与える心理的、精神的な負荷が大きいという問題があった。また、ｉｉ）既に種々の物品等に付着した指紋を、後にアルミナ粉末等を用いて浮き上がらせて採取する手法では、瞬時に指紋の採取を行なうことは出来ないと言う不都合があった。さらに、ｉｉｉ）光学的に指紋像を検出し、認識させる手法というのは、非常に大袈裟な電子機器を必要とし、高コストになる等の問題点を有していた。
【０００５】
このように、上記その他の従来技術には何れも一長一短があり、それゆえ、例えば防犯用具として、ドアノブ等に、相手に「指紋が採取される」ということを一見しただけでは察知されない様なかたちで設置出来ると共に、相手に「指紋が採取される」ということを意識させることなく即座かつ確実にその指紋を採取出来、しかも指紋が採取された後も相手の指先を汚さずに済む指紋の採取用具、或いは、故人の形見や親しい人の記念的なものとして、相手の指先を汚さず、しかも相手に心理的、精神的な負荷を与えることなくその相手の指紋をとっておきたい場合に重用出来る指紋の採取用具というのは、現在に至るまで長い間実用化されていなかった。
尚、特許文献３には、結婚や子供の誕生などの様々な記念日の記念品として、当事者の指紋をシートに捺印し、これを長方形の箱の内部に収納して陳列することで従来にない当事者オリジナルの記念品を提供する手法が記載されているが、相手の指先を汚さず、しかも相手に心理的、精神的な負荷を与えることなくその相手の指紋をとっておきたい場合に重用出来る指紋の採取用具等が記載されているものではない。
【特許文献１】特開２００２−２８１５１号公報
【特許文献２】特開２０００−１２６１５９号公報
【特許文献３】特開平９−４０１号公報
【発明の開示】
【発明が解決しようとする課題】
【０００６】
従って本発明は、指紋を採取される人物に「指紋が採取される」という予備的な認識が無く実質上無意識な儘であっても確実にその指紋を採取出来る上、当該採取を手軽かつ瞬時に行なうことが可能な指紋採取技術、即ち指紋の採取用具及びこれを用いた指紋の採取方法を提供することを課題とする。
【０００７】
又本発明は、指紋を採取した後も相手の指先を汚さず、相手に視覚的、触覚的な不快感、さらには心理的、精神的な負荷を殆ど及ぼさず、更に相手が実質上無意識な儘採取を済ますことが出来る指紋の採取用具及びこれを用いた指紋の採取方法を提供することを課題とする。
【０００８】
その他本発明は、低コストかつ容易に実施することが出来る指紋の採取用具及びこれを用いた指紋の採取方法を提供することを課題とする。
【課題を解決するための手段】
【０００９】
上記課題を解決すべく種々検討を重ねた結果、本発明者は、適宜の材料で作成されたシート上に所定の反応層等を配した構成からなる指紋の採取用具を用いることにより、予め朱肉や顔料インクその他の薬剤を指紋を採取したい相手の指先の指紋面に付着させなくても、即ち指紋を採取される人物に「指紋が採取される」という予備的な認識が無く実質上無意識な儘であっても確実に指紋を採取出来る上、従来警察の鑑識等で用いられていた様な煩雑な手続を経なくとも、手軽かつ瞬時に指紋を採取することが可能であること、そのうえ、指紋を採取した後も相手の指先を汚さず、相手に視覚的、触覚的な不快感、さらには心理的、精神的な負荷を殆ど及ぼさず、更に相手が実質上無意識な儘採取を済ますことが出来ることを見出し、それにより上記課題を解決可能なことを確信して、本発明を完成した。
【００１０】
上記課題を解決可能な本発明の指紋の採取用具は、（１）指紋を採取したい相手の指紋を採取する用具であって、指紋を採取したい対象人物が触れることが予想される所定の物品上に設置可能なサイズに形成され、前記所定の物品上に予め設置された基材シートと、前記基材シートの指紋採取面上に備えられ、指紋隆線の汗腺開口からの分泌物との接触により反応して前記指紋採取面に前記指紋隆線に沿う紋様を形成する物質を含む反応層とからなり、前記対象人物の指先が前記指紋採取面に接触することにより、前記対象人物の指紋を、その相手が実質上無意識のうちに採取出来ることを特徴とするものである。
【００１１】
或いは本発明の指紋の採取用具は、（２）指紋を採取したい相手の指紋を採取するための用具であって、指紋を採取したい対象人物が触れることが予想される所定の物品上に設置可能なサイズに形成され、前記所定の物品上に予め設置された基材シートと、前記基材シートの指紋採取面上に備えられ、前記対象人物の指先が触れた際、その指紋面の隆線部と凹溝部の組合せからなる凹凸状の起伏に対応した凹凸を前記指紋採取面に形成する様構成された指紋固定層とからなり、前記対象人物の指先が前記指紋採取面に接触することにより、前記対象人物の指紋を、その相手が実質上無意識のうちに採取出来ることを特徴とするものである。
【００１２】
さらに、上記課題を解決可能な本発明の指紋の採取方法は、（３）指紋を採取したい相手の指紋を採取するための方法であって、指紋を採取したい対象人物が触れることが予想される所定の物品上に設置可能なサイズに形成された所定の指紋採取用具を前記所定の物品上に予め設置しておき、前記対象人物の指先を前記所定の指紋採取用具の指紋採取面に接触させることにより、前記指紋採取面に指紋隆線に沿う紋様を形成することを特徴とするものである。
【００１３】
又上記課題を解決可能な本発明の指紋の採取方法としては、（４）指紋を採取したい相手の指紋を採取するための方法であって、自分の手の一部に所定の指紋採取用具を備えておき、指紋を採取したい対象人物と握手その他のボディコンタクトを図ることによって、前記対象人物の指先を前記所定の指紋採取用具の指紋採取面に接触させることにより、前記指紋採取面に指紋隆線に沿う紋様を形成するものであっても良い。
【００１４】
上記本発明（３）又は（４）の指紋の採取方法においては、（５）前記指紋の採取を、前記対象人物の指先が触れた際、指紋の採取面に、指紋隆線の汗腺開口からの分泌物と反応して所定の変化が生じることにより指紋像が得られる様構成された反応層を備えた指紋採取用具を用いて行なう様構成されていることが好ましい。
【００１５】
又上記本発明（３）又は（４）の指紋の採取方法においては、（６）前記指紋の採取を、前記対象人物の指先が触れた際、指紋の採取面に、前記指紋の凹凸形状の起伏に対応した凹凸が形成されることにより指紋像が得られる様構成された指紋固定層を備えた指紋採取用具を用いて行なう様構成されていることがより好ましい。
【発明の効果】
【００１６】
本発明によれば、指紋を採取される人物に「指紋が採取される」という予備的な認識が無く実質上無意識な儘であっても確実にその指紋を採取出来る上、当該採取を手軽かつ瞬時に行なうことが可能な指紋の採取用具及びこれを用いた指紋の採取方法を得ることが出来る。
【００１７】
又本発明によれば、指紋を採取した後も相手の指先を汚さず、相手に視覚的、触覚的な不快感、さらには心理的、精神的な負荷を殆ど及ぼさず、更に相手が実質上無意識な儘採取を済ますことが出来る指紋の採取用具及びこれを用いた指紋の採取方法を得ることが出来る。
【００１８】
その他本発明によれば、低コストかつ容易に実施することが出来る指紋の採取用具及びこれを用いた指紋の採取方法を得ることが出来る。
【００１９】
本発明は上記の特徴を有し、それゆえ、本発明の指紋の採取用具は、例えば防犯用具としてドアノブ等に、相手に「指紋が採取される」ということを一見しただけでは察知されない様なかたちで設置しておくことが出来る上、相手に「指紋が採取される」ということを意識させることなく即座かつ確実にその指紋を採取出来るほか、故人の形見や親しい人の記念的なものとして、相手の指先を汚さず、しかも相手に心理的、精神的な負荷を与えることなくその相手の指紋をとっておきたい場合に重用出来る実用的な指紋の採取用具及びこれを用いた指紋の採取方法である。
【発明の実施の形態】
【００２０】
以下、添付図面に基づき、本発明の一実施形態につき説明する。図１は本発明の指紋の採取用具の一例を示す斜視図、図２は本発明の指紋の採取用具の一構成例の概略を示す断面図であり、（Ａ）は指紋採取面２に指が接触する前の状態、（Ｂ）は指紋採取面２に指先１３の指紋面７が接触している最中の状態を、そして（Ｃ）は指紋採取面２から指先１３が離れた後、指紋採取面２に指紋像４が得られた状態を示す図である。図３は本発明の指紋の採取用具の別の構成例を示す図、図４は本発明の指紋の採取用具を用いた指紋の採取方法の一例を示す図であり、（Ａ）は指紋を採取したい対象人物が触れることが予想される所定の物品１１上に指紋採取シート１が設置された状態、（Ｂ）は上記対象人物が所定の物品１１を掴んだ際、その指先１３が指紋採取シート１に接触している最中の状態を、そして（Ｃ）は上記対象人物が所定の物品１１から離れた後、指紋採取シート１の指紋採取面２には指紋像４が得られている状態を示す図である。
【００２１】
［構成］
図１及び図２に示す通り、本発明の指紋の採取用具は、以下に詳細を説明する所定の構造を有する指紋採取シート１を中心に構成されている。
指紋採取シート１は、紙や樹脂等の適宜の材料からなり、テープ状でかつ比較的厚手のもの、或いはフィルム状の比較的薄手のもの等、種々の形態で提供される。この指紋採取シート１は、有色或いは無色の素材からなっており、一例によれば、当該指紋採取シート１を予め貼付けておく対象物１１の表面色に合う色の素材からなっている。長さや幅も、予め貼付けておく対象物１１に合わせて適宜調整される。一例によれば、指紋採取シート１は種々のカード類と略同等のサイズに形成され、又その裏面５には、糊６が塗布形成されており、指紋採取シート１を所定の物品１１、例えば扉のノブや玄関の適宜箇所、或いは金庫の把手等に手軽に貼付けることが出来る様構成されている。
【００２２】
指紋採取シート１の表面に当たる指紋採取面２には、所定の反応層３が予め塗布等により形成されている。尚、反応層３は指紋隆線の汗腺開口からの分泌物１０と反応、例えば特許文献２に開示される様なタンパク質の検出に利用されるニンヒドリン反応やキサントプロテイン反応等して所定の変化を生じる従来知られた物質からなっている。ここで、指先１３の指紋面７は、隆線部８と凹溝部９の組合せによる凹凸状の起伏をなしている。
従って図２に示す通り、指先１３の指紋面７が指紋採取面２に接触すると、ｉ）隆線部８については、上記分泌物１０が反応層３と接触することにより反応層３に所定の変化が生じ、それによって指紋採取面２に指紋隆線に沿う紋様が形成される一方、ｉｉ）凹溝部９については、この部分は何処とも接触せず、それゆえ上記分泌物１０が反応層３と接触することも指紋採取面２に押圧力を与えることもないので指紋採取面２に別段変化は生じない。
このように、指紋採取面２においては、指先の隆線部８に当たる部分のみが反応層３に接触し、当該部分では上記分泌物１０が反応層３と反応して反応層３に所定の変化が起こり、指紋隆線に沿う紋様が形成されることにより指紋像４が確定する。
【００２３】
ここで、指紋隆線の汗腺開口からの分泌物１０が反応層３に接触することによって反応層３に生じる所定の変化については、ｉ）反応層３を構成する薬剤その他の構成を、上記分泌物１０が反応層３に接触した瞬間即座に反応層３の上記接触部分が変色して目に見える変化が顕われる構成にしておき、上記分泌物１０が反応層３に接触することによって反応層３の上記接触部分が有色に変化すると言ったもののほか、反対に、図３に例示する通り、ｉｉ）反応層３を構成する薬剤その他の構成を、上記分泌物１０が反応層３に接触した直後は反応層３の上記接触部分に実質上目に見える変化が顕われない構成にしておき、事後的に、指紋が採取されてドアノブや金庫の把手から剥がして来た指紋採取シート１につき例えば熱処理や所定波長の光を適宜光源から照射すると言った簡単な操作により反応層３の上記接触部分が有色に変化することによって別途指紋像４が顕われると言ったものが挙げられる。
【００２４】
従って、反応層３が上記ｉ）の様に構成されているときには、指紋を採取される対象人物の指先１３が指紋採取シート１の指紋採取面２に接触した瞬間即座に当該指紋採取面２には対象人物の指紋像４が顕われる。
一方、反応層３が上記ｉｉ）の様に構成されているときには、指紋を採取される対象人物の指先１３が指紋採取シート１の指紋採取面２に接触し、隆線部８における指紋隆線の汗腺開口からの分泌物１０が反応層３に接触することにより反応層３に所定の変化が起こり、指紋採取面２に上記指紋隆線に沿う紋様が形成されることにより指紋の像４’が確定するものの、その像４’は図３に示す通り対象人物の指先１３が上記指紋採取面２に接触した時点では外部から判別出来ず、当該対象人物は「指紋を採取された」と言うことを別段認識することなく、実質上無意識の儘その場を後にすることとなる。
一例によれば、上記本発明の指紋の採取用具を、防犯用具としてドアノブや金庫の把手等に、相手に「指紋が採取される」ということを一見しただけでは察知されない様なかたちで設置しておくため、或いは、故人の形見や親しい人の記念的なものとして、相手の指先を汚さず、しかも相手に心理的、精神的な負荷を与えることなく、相手が実質上無意識な儘、或いは相手に気付かれない様にその指紋像４をとっておくために、この指紋採取シート１は、カード類と略同等或いはそれ以下のサイズに形成された透明フィルムからなっているほか、その指紋採取面２に予め形成された反応層３は、上記分泌物１０が反応層３に接触した直後は反応層３の上記接触部分に目に見える変化が顕われない様構成されている。
【００２５】
［使用方法］
以下では、図４を参照しつつ、本発明の指紋の採取用具を用いた指紋の採取方法につき説明する。
【００２６】
はじめに、図４（Ａ）に示す通り、指紋を採取したい対象人物が触りそうな対象物１１、例えば扉のノブや玄関の適宜箇所、或いは金庫の把手等に予め、本発明に係る指紋採取シート１を設置しておく。指紋採取シート１には予め反応層３が形成されている。
【００２７】
次に、図４（Ｂ）に示す通り、指紋を採取される対象人物の指先が指紋採取シート１の指紋採取面２に接触し、隆線部８における指紋隆線の汗腺開口からの分泌物１０が反応層３に接触することにより反応層３に所定の変化が起こり、指紋採取面２に上記指紋隆線に沿う紋様が形成されることにより指紋像４が確定する（図４（Ｃ）参照）。一例によれば、反応層３を構成する薬剤等は、上記分泌物１０が反応層３に接触した直後は反応層３の上記接触部分に実質上目に見える変化が顕われない構成とされている。従って、図３を用いて上で説明した通り、対象人物の指先１３が上記指紋採取面２に接触した時点では指紋採取面２上にある指紋の像４’は外部から判別出来ず、当該対象人物は「指紋を採取された」と言うことを別段認識することなく、実質上無意識のままその場を後にすることとなる。
【００２８】
ここで、対象人物の指紋が採取された指紋採取シート１については、当該指紋採取シート１が設置されていたドアが備えられていた部屋等を上記対象人物が立ち去った後、そのドアノブや金庫の把手等から容易に剥がして外部に持ち出すことが出来、そして図３に示す通り事後的に、指紋が採取されてドアノブや金庫の把手から剥がして来た指紋採取シート１につき例えば熱処理や所定波長の光を適宜光源から照射すると言った操作を行なうことによって上記分泌物１０と反応層３の接触部分を有色に変化させて指紋採取面２上にある指紋像４を顕出させる。
【００２９】
尚、指紋が採取された後であっても、指紋を採取された対象人物の指先１３に付着物は何も残らず、指先１３の拭き取り等は一切不要であり、それ故指紋を採取したい相手に心理的、精神的な負荷を与える事無く、相手が実質上無意識な儘採取を済ますことが出来ると共にその指紋を美しく採取することが出来る。
【００３０】
その様にして採取した指紋については、例えば指紋採取シート１を透明フィルム等で形成しておけば、指紋像４を顕出させた後のそのシート１を写真立てやグラス等の物品にその儘貼り付けるだけで、オリジナリティー溢れる記念品として陳列保管しておくことが出来る。
【００３１】
また、指紋採取シート１自体は省スペースで保管出来るので、例えば骨董品、美術作品、株券、証券、貴金属その他の貴重品が収められた収蔵室や展覧室又は金庫、或いは要人の執務室や寝室の扉のノブや把手等に本発明の指紋採取用具を予め設置しておき、指紋が採取される度にこれを交換して再び設置しておくと共に、指紋が採取されてドアノブや金庫の把手から剥がして来た指紋採取シート１については都度、日付や時間を記録して別の場所に保管しておけば、貴重品の盗難や襲撃等の事件が起こった際に、その保管された指紋採取シート１に採取された指紋を参考に犯罪捜査を進めて行くことが可能となる。
【００３２】
この様に、本発明の一例によれば、相手に「指紋が採取される」という予備的な認識が無く実質上無意識な儘であっても即座かつ確実に指紋が採取出来る上、指紋採取後も相手の指先を汚さず、相手に心理的、精神的な負荷を与えずに済む指紋採取技術を提供することが可能となる。
【００３３】
尚本発明は、上記実施形態記載の構成に限られず、種々の設計変更その他の変形が可能である。
【００３４】
はじめに、上記実施形態では、指紋採取シート１は、所定の物品１１、例えば扉のノブや玄関の適宜箇所、或いは金庫の把手等に手軽に貼付けることが出来る様構成されているものとして説明したが、指紋採取シート１を予め貼付けておく物品１１は上記の様なものに限定されず、例えば、コンピュータのマウス等にこの指紋採取シート１を予め貼付けておくことにより、データ盗難や不正アクセス等のコンピュータ犯罪が発覚した際に、この指紋採取シート１上に採取された指紋を参考に犯罪捜査を進めて行くことが可能となる。その他、自転車や自動車の操舵ハンドル、自動車のドアハンドル、筆記具、コンピュータのキーボードや楽器類の鍵盤等に上記の指紋採取シート１を予め設置しておいても構わない。
【００３５】
又上記実施形態では、指紋採取シート１は、所定の物品１１、例えば扉のノブや玄関の適宜箇所、或いは金庫の把手等に手軽に貼付けることが出来る様構成されているものとして説明したが、これに限定されず、例えば、この指紋採取シート１を手に馴染みやすい柔軟な樹脂等から構成しておき、その上で図５に示す通り予めその様な指紋採取シート１を自分の手１４の手の甲や手の平に貼り込んでおき、指紋を採取したい相手と握手等のボディコンタクトを図ることによって相手の指紋を採取することが出来る様にしておいても良い。
その場合、指紋を採取したい対象人物が触りそうな対象物１１の見当を付けたり、更にその対象物１１に予め本発明に係る指紋採取シート１を設置しておく等の手間は全く不要であり、自分から積極的に指紋を採取したい相手と握手等の簡単なコミュニケーションを交わすだけで、相手が実質上無意識の儘、確実に美しく指紋を採取することが可能となる。
【００３６】
さらに上記実施形態では、指紋採取シート１は、指紋採取シート１の表面に当たる指紋採取面２に形成された、指紋隆線の汗腺開口からの分泌物１０と反応して所定の変化を生じる物質からなる反応層３に指先の隆線部８に当たる部分が接触して、当該接触部分において上記分泌物１０が反応層３と反応して反応層３に所定の変化が起こり、指紋採取面２に上記指紋隆線に沿う紋様が形成されることにより指紋像４が顕われる構成とされているがこれに限られず、本発明では、図６に例示する通り、指紋採取シート１の指紋採取面２には、所定の応力が加えられることによって硬化し、その応力が加えられた時点の形状を維持する様な性質の、例えば樹脂等からなる指紋固定層１２を予め形成しておき、指紋を採取したい相手の指紋面７が指紋採取面２に接触し、押圧力が指先１３から指紋採取面２に与えられた時点でその押圧力により指紋像４が、指紋固定層１２に形成される構成としても構わない。尚図６は、本発明の指紋の採取用具の更なる別の構成例の概略を示す断面図であり、（Ａ）は指紋採取面２に指が接触する前の状態、（Ｂ）は指紋採取面２に指先１３の指紋面７が接触している最中の状態を、そして（Ｃ）は指紋採取面２から指先１３が離れた後、指紋採取面２に指紋像４が得られた状態を示す図である。
その様な構成とした場合、隆線部８及び凹溝部９からなる指紋面７の凹凸が、指紋採取面２の指紋固定層１２に忠実に反映されたかたちで指紋の像４が得られるので、より鮮明かつ立体的に指紋を採取したい相手の指紋を採取することが可能になる。
【００３７】
以上に詳述した通り、本発明は、ｉ）指紋を採取される人物に「指紋が採取される」という予備的な認識が無く実質上無意識な儘であっても確実にその指紋を採取出来る上、当該採取を手軽かつ瞬時に行なうことが出来、又ｉｉ）指紋を採取した後も相手の指先を汚さず、相手に視覚的、触覚的な不快感、或いは心理的、精神的な負荷を殆ど及ぼさず、更に相手が実質上無意識な儘採取を済ますことが出来るほか、ｉｉｉ）低コストかつ容易に実施することが出来る、という特徴を有し、それゆえ、本発明の指紋の採取用具は、例えば防犯用具としてドアノブ等に、相手に「指紋が採取される」ということを一見しただけでは察知されない様なかたちで設置しておくことが出来る上、相手に「指紋が採取される」ということを意識させることなく即座かつ確実にその指紋を採取出来るほか、故人の形見や親しい人の記念的なものとして、相手の指先を汚さず、しかも相手に心理的、精神的な負荷を与えることなくその相手の指紋をとっておきたい場合に重用出来る、実用的な指紋の採取用具及びこれを用いた指紋の採取方法を提供する、新規かつ極めて革新的な発明であることが明らかである。
【図面の簡単な説明】
【００３８】
【図１】本発明の指紋の採取用具の一例を示す斜視図である。
【図２】本発明の指紋の採取用具の一構成例の概略を示す断面図である。
【図３】本発明の指紋の採取用具の別の構成例を示す図である。
【図４】本発明の指紋の採取用具を用いた指紋の採取方法の一例を示す図である。
【図５】本発明の指紋の採取用具を用いて指紋の採取を行なう態様の別の例を示す図である。
【図６】本発明の指紋の採取用具の更なる別の構成例の概略を示す断面図である。
【符号の説明】
【００３９】
１  指紋採取シート
２  指紋採取面
３  反応層
４  指紋像
１０  指紋隆線の汗腺開口からの分泌物
１１  指紋採取シートを貼付ける対象物
１３  指
【図１】
2005312666.tif 000003
【図２】
2005312666.tif 000004
【図３】
2005312666.tif 000005
【図４】
2005312666.tif 000006
【図５】
2005312666.tif 000007
【図６】
2005312666.tif 000008